(57)【要約】【課題】海苔養殖資材固定用のロープを簡易且つ迅速に挿通することができる海苔養殖資材用伸子棒を提供すること。【解決手段】海苔養殖資材用伸子棒２２の両端部には、端部外周面に開口する海苔養殖資材固定用の挿通孔２９を形成した筒部２８が設けられている。【選択図】図４
2008278831.tif 000002
【特許請求の範囲】
【請求項１】
海苔養殖資材固定用の挿通孔が中空管の両端部外周面に開口された海苔養殖資材用伸子棒において、
前記挿通孔は前記中空管の外周面の互いに反対側に開口する筒部内に設けられていることを特徴とする海苔養殖資材用伸子棒。
【請求項２】
請求項１に記載の海苔養殖資材用伸子棒において、前記中空管は支持パイプと該支持パイプの両端部に一端部が嵌着された樹脂製接手を備えると共に、前記接手本体内に前記筒部が形成されていることを特徴とする海苔養殖資材用伸子棒。
【請求項３】
請求項２に記載の海苔養殖資材用伸子棒において、両端部から前記挿通孔の手前まで相対する切欠スリットが形成されていることを特徴とする海苔養殖資材用伸子棒。
【請求項４】
請求項３に記載の海苔養殖資材用伸子棒において、前記接手本体内両面には前記筒部に至る補強リブが形成されていることを特徴とする海苔養殖資材用伸子棒。
【請求項５】
請求項４に記載の海苔養殖資材用伸子棒において、前記補強リブは前記切欠スリットの両側に沿った補強リブと、前記筒部中央部の鉛直軸方向に設けられた補強リブとからなることを特徴とする海苔養殖資材用伸子棒。
【請求項６】
請求項２〜５のいずれか１項に記載の海苔養殖資材用伸子棒において、前記支持パイプ内を区画する各壁部が接手内に前記筒部と一体に設けられたことを特徴とする海苔養殖資材用伸子棒。
【請求項７】
請求項２〜６のいずれか一つに記載の海苔養殖資材用伸子棒において、前記支持パイプはＦＲＰ製パイプと該パイプの内外周面に形成された熱可塑性樹脂層を備えることを特徴とする海苔養殖資材用伸子棒。
【発明の詳細な説明】
【技術分野】
【０００１】
この発明は、海苔の養殖に用いる海苔網を張設して、海苔網を浮かせたり、沈めたりする為に使用する海苔養殖資材用伸子棒に関するものである。
【背景技術】
【０００２】
従来、海苔網を拡張、張設するには網を海苔網用伸子棒にロープで一定間隔に結わい固定するが、その数は非常に多く、結わい固定に要する作業の効率化が望まれている。
【０００３】
この海苔網用伸子棒としては、図２５に示すように、丸竹材１の両端部外周面に海苔養殖資材を固定するためのロープを挿通する挿通貫通孔２を形成したり、図２６に示したように合成樹脂製の中空管３の両端部に海苔養殖資材を固定するためのロープを挿通する挿通貫通孔４を形成したりしているものがある。また、他の海苔網用伸子棒としては、図２７に示すように、支持パイプ５の両端部に樹脂製の中空接手６を嵌着した中空管７がある。更に、図２８，図２９の中空管７では、この接手６の外周面に海苔養殖資材を固定するためのロープを挿通する挿通貫通孔８を形成すると共に、端部にロープ支持用の切欠スリット９を形成している（例えば、特許文献１参照）。
【０００４】
この海苔養殖資材としては、例えば図３０に示したように海底に突き刺される支柱１０やこの支柱１０に取り付けられるロープ１１、海苔網１３等がある。この図２８では、海苔網１３（図３１参照）の縁部に設けられる海苔網綱１４を切欠スリット９に係合させることで、海苔網１３を海水所定の位置に配置するようにしている。
【０００５】
ところで、丸竹材１，中空管３に設けられる挿通貫通孔２，４はそれぞれ一対設けられていて、各一対の挿通貫通孔２，４は丸竹材１，中空管３の内外周面にそれぞれ開口している。同様に、図３２に示したように接手６には一対の挿通貫通孔８，８が設けられている。
【０００６】
この一対の挿通孔貫通８，８に海苔養殖資材の固定用のロープ１１を結わえるには、このロープを一対の挿通貫通孔８，８にロープを挿通する必要がある（挿通孔２，４についても同様）。この際に、一対の挿通貫通孔８，８の片方に最初にロープ１１の端部を挿通するのは容易である。
【特許文献１】実公昭５５−２７６８号公報
【発明の開示】
【発明が解決しようとする課題】
【０００７】
しかし、ロープ１１は腰が柔らかかったり、他方の挿通貫通孔８を探す作業が必要であるために、片方の挿通貫通孔８に挿通したロープ１１の端部を他方の挿通貫通孔８に挿通するのは容易でなかった。この点は、挿通貫通孔２，４についても同様である。
【０００８】
このため、従来は針金等で製作した通し棒をロープの端部に取り付けて、この通し棒を一対の挿通貫通孔８，８の一方に挿通した後に他方の挿通貫通孔８から引き抜くことにより、ロープ１１を一対の挿通貫通孔８，８に挿通し、次に、通し棒をロープ１１の端部から取り外した後、ロープ１１の端部を接手６に結わえるようにしていた。この結果、針金等で制作した通し棒を使用する方法では非効率的であった。
【０００９】
そこで、この発明は、海苔養殖資材固定用のロープを簡易且つ迅速に挿通することができる海苔養殖資材用伸子棒を提供することを目的とするものである。
【課題を解決するための手段】
【００１０】
この目的を達成するため、この発明の海苔養殖資材用伸子棒は、海苔養殖資材固定用の挿通孔が中空管の両端部外周面に開口されていて、前記挿通孔は前記中空管の外周面の互いに反対側に開口する筒部内に設けられていることを特徴とする。
する。
【発明の効果】
【００１１】
この構成の海苔養殖資材用伸子棒によれば、海苔養殖資材固定用のロープを簡易且つ迅速に挿通することができる。
【発明を実施するための最良の形態】
【００１２】
以下、この発明の実施の形態の海苔養殖資材用伸子棒及びこれに用いる海苔養殖資材用接手を図面に基づいて説明する。図１は、図３０のような支柱方式ではなく、フロートを用いた浮流し養殖法を示している。
【００１３】
図１において、２２は海苔養殖資材用伸子棒、２３は海苔養殖用伸子棒２２にロープ２１を介して結わえられフロート、２４は中空管としての海苔養殖資材用伸子棒２２に支持される海苔網である。
【００１４】
また、海苔養殖資材用伸子棒２２は、樹脂製のパイプからなる支持パイプ２５と、支持パイプ２５の両端部に取り付ける海苔養殖資材用接手２６，２６を有する。
【００１５】
この海苔養殖資材用接手２６は、一端部２７ａが支持パイプ２５の端部に嵌着固定された接手本体２７（図１〜図３参照）を有する。この接手本体２７の軸線方向の中間部内には、図４，図５に示したように、互いに対向する側部まで直径方向に延びて、両端が接手本体２７の内面と一体に形成された筒部２８が設けられている。しかも、この筒部２８内には、図４に示したように、接手本体２７の外周面の互いに反対側の部分に開口する挿通孔２９が形成されている。図４において、２９ａ，２９ｂは、接手本体２７の外周面への挿通孔２９の開口部である。また、フロート２３に結わえられたロープ２１は、挿通孔２９に挿通された後に、図９のように接手本体２７に結わえられている。
【００１６】
更に、図４，図５に示したように、接手本体２７の一端部２７ａ及び他端部２７ｂ内には、筒部２８を挟んでパイプ嵌着受口２７ａ１，２７ｂ１がそれぞれ形成されている。しかも、接手本体２７の他端部２７ｂ内には、筒部２８の軸線方向の中央部外周面と接手本体２７の内周面に一体に形成された補強リブ３０，３０が設けられている。
【００１７】
また、補強リブ３０は、接手本体２７の長手方向に延びていると共に、他端部２７ｂの端面側に向かうに従って突出量が徐々に少なくなっている。そして、この補強リブ３０の両側には、図６，図７に示したようにパイプ嵌着穴２７ａ１，２７ｂ１を連通させる連通孔３１が形成されている（図５参照）。
【００１８】
尚、挿通孔２９は、図８に示したように中央部から両端の開口部２９ａ，２９ｂに向かうに従って徐々に拡径している。従って、開口部２９ａ，２９ｂをロープ２１の太さよりも僅かに大きく形成しておくことで、挿通孔２９にロープ２１をより通しやすくなっている。図８において、挿通孔２９は、中央部の直径がｄ１であり、開口部２９ａ，２９ｂ近傍の直径がｄ２（ｄ２＞ｄ１）となっている。しかも、開口部２９ａ，２９ｂの部分には、直径ｄ２よりも更に僅かに大きくなるように、段差２９ｃが設けられている。
【００１９】
更に、接手本体２７の他端部２７ｂの互いに反対側の部分には、図７に示したように、軸線（中心線）と平行な方向に延び且つ端面に開放する切欠スリット３２，３２が形成されている（図３〜，図５参照）。この切欠スリット３２，３２を設けることにより、接手本体２７の他端部２７ｂ側は２つの半円筒部２７ｂ２，２７ｂ２に分割されている。また、切欠スリット３２，３２は、図４に示したように、開口部２９ａ，２９ｂに対応して設けられている。
【００２０】
しかも、この切欠スリット３２の開放端部には、図５に示したように、端面に向かってテーパ状に拡開する海苔網綱挿入用のガイド部３３が形成されている。また、切欠スリット３２の開放端部とは反対側の端部と中間部には海苔網綱留まり孔部３４が形成されている。
【００２１】
また、接手本体２７の他端部２７ｂ内には、各切欠スリット３２の両側に位置させて接手本体２７と一体に形成した補強リブ３６，３６が設けられている。この補強リブ３６，３６の基部は、筒部２８の端部側の側部と一体に形成されている。また、補強リブ３６は、切欠スリット３２に沿って海苔網綱留まり孔部３５の側方まで延びていると共に、海苔網綱留まり孔部３５に近づくに従って突出量及び幅が徐々に少なくなるように形成されている。
【００２２】
そして、補強リブ３０，３０及び３６，３６は半円筒部２７ｂ２，２７ｂ２の捩れ力や半円筒部２７ｂ２，２７ｂ２を開く力等に対する強度を大きくしているので、海苔網綱留まり孔部３４，３５に保持される海苔網綱２４ａから半円筒部２７ｂ２，２７ｂ２に大きな捩れ力が作用しても、半円筒部２７ｂ２，２７ｂ２の捩れを未然に防止し、接手本体２７に切欠スリット３２の部分から割れが生ずるのを未然に防止する。
【００２３】
そして、海苔網綱留まり孔部３４には図９に示したように海苔網２４の周囲の海苔網綱２４ａが係合させられている。
（変形例１）
また、上述した実施例では、パイプ嵌着受口２７ａ１，２７ｂ１を連通させる連通孔３１を設けた構成としているが、必ずしも連通孔３１を設ける必要はない。例えば、図１０，図１１に示したように、接手本体２７内にパイプ嵌着受口２７ａ１，２７ｂ１を区画する隔壁部３７を設けると共に、この隔壁部３７のパイプ嵌着受口２７ｂ１側に筒部２８を設けて、この隔壁部３７と筒部２８とで構成しても良い。
【００２４】
この場合には、海苔養殖資材用伸子棒２２の支持パイプ２５の両端部が、海苔養殖資材用接手２６，２６により閉成されて、支持パイプ２５がフロートの役割を果たすので、図１２に示したようにフロートは不要となる。
（変形例２）
また、図１３に示したように、挿通孔２９に挿通したロープ３８で海苔網綱２４ａを海苔養殖資材用接手２６に結わえて固定することもできる。
（変形例３）
更に、実施例１の補強リブ３０，３６に代えて、図１４，図１５に示したような補強リブ３９，４０をパイプ嵌着受口２７ｂ１内に設けた構成としても良い。この補強リブ３９は、切欠スリット３２，３２の略中央部に位置させて接手本体２７と一体に形成されている。また、補強リブ４０は、切欠スリット３２に対応させて接手本体２７と一体に形成されている。
【００２５】
この構成でも、補強リブ３９，４０を設ける位置が実施例１と異なるのみで、海苔養殖資材用伸子棒２２の支持パイプ２５の両端部が海苔養殖資材用接手２６，２６により閉成されて、支持パイプ２５がフロートの役割を果たすので、フロートは不要となる。
【００２６】
また、補強リブ３９は半円筒部２７ｂ２，２７ｂ２の捩れ力や半円筒部２７ｂ２，２７ｂ２を開く力等に対する強度を大きくしている。しかも、補強リブ４０は割れが生じやすい部分（切欠スリット３２に対応する部分）に設けられている。
【００２７】
このため、海苔網綱留まり孔部３４，３５に保持される海苔網綱２４ａから半円筒部２７ｂ２，２７ｂ２に大きな捩れ力が作用しても、半円筒部２７ｂ２，２７ｂ２の捩れを未然に防止し、接手本体２７に切欠スリット３２の部分から割れが生ずるのを未然に防止する。
（変形例４）
また、変形例３の切欠スリット３２を省略して、図１６〜図１８に示したようにしても良い。尚、この変形例４では、補強リブ３９，４０の長さ等が同じに形成されている。また、この変形例４でも、海苔養殖資材用伸子棒２２の支持パイプ２５の両端部が海苔養殖資材用接手２６，２６により閉成されて、支持パイプ２５がフロートの役割を果たすので、フロートは不要となる。
（変形例５）
また、変形例４の補強リブ３９，４０を省略して図１９，２０に示したように構成しても良い。この変形例５でも、海苔養殖資材用伸子棒２２の支持パイプ２５の両端部が海苔養殖資材用接手２６，２６により閉成されて、支持パイプ２５がフロートの役割を果たすので、フロートは不要となる。
（変形例６）
更に、変形例４構成に加えて、図２１，図２２に示したように、接手本体２７の他端部２７ｂにＶ字状の嵌着治具用切欠４１を設けると共に、接手本体２７の外周面に周方向に環状に延びる１〜複数の補強リブ４２を設けた構成としても良い。
【００２８】
この構成では、図示しない嵌着治具を用いて海苔養殖資材用接手２６を支持パイプ２５の端部に嵌着する際に、嵌着治具を嵌着治具用切欠４１に係合させておくことで、嵌着治具により海苔養殖資材用接手２６を支持パイプ２５に対して軸線周りに相対回動させることができるので、支持パイプ２５の両端部に嵌着される海苔養殖資材用接手２６の挿通孔２９の向きを簡易に一致させることができる。
（変形例７）
また、図２３に示したように、海苔養殖資材用接手２６は、支持パイプ２５の突き当てよう環状突部４３を設けると共に、この環状突部４３に接するように筒部２８を設けた構成とすることもできる。
（変形例８）
更に、海苔養殖資材用伸子棒２２の支持パイプ２５は、図２４に示したように、ＦＲＰ製のパイプ４４とこのパイプ４４の内外周面に形成された熱可塑性樹脂である塩化ビニール層４５，４６を設けた構成とすることができる。この構成では、ＦＲＰ製のパイプ４４により強度が充分確保され、塩化ビニール樹脂層４５，４６により海水に対する保護を充分に図ることができる。尚、塩化ビニール樹脂層４５，４６は、ＡＢＳ，ＡＳＡ等他の熱可塑性樹脂に置き替えても良い。
【００２９】
以上説明したように、この構成の海苔養殖資材用伸子棒によれば、海苔養殖資材（フロート２３，海苔網２４）固定用のロープ（２１，３８）を簡易且つ迅速に挿通することができる。
【図面の簡単な説明】
【００３０】
【図１】この発明に係る海苔養殖資材用伸子棒と海苔網との関係のフロートを用いた浮流し養殖法を示す説明図である。
【図２】図１の海苔養殖資材用接手の拡大平面図である。
【図３】図１の海苔養殖資材用接手の拡大正面図である。
【図４】図３のＡ２−Ａ２線に沿う断面図である。
【図５】図２のＡ１−Ａ１線に沿う断面図である。
【図６】図５のＡ３−Ａ３線に沿う断面図である。
【図７】図５の海苔養殖資材用接手を矢印Ａ４方向から見た説明図である。
【図８】図４の部分拡大断面図である。
【図９】図１の一部を拡大して示した説明用の部分斜視図である。
【図１０】この発明に係る海苔養殖資材用接手の変形例を示す図７と同様の説明図である。
【図１１】図１０のＡ５−Ａ５線に沿う断面図である。
【図１２】図１０，図１１に示した海苔養殖資材用接手を用いた海苔養殖資材用伸子棒と海苔網との関係を示す説明図である。
【図１３】海苔養殖資材の海苔養殖資材用伸子棒への取り付け例を示す部分斜視図である。
【図１４】この発明に係る海苔養殖資材用接手の変形例を示す説明図である。
【図１５】図１４のＡ６−Ａ６線に沿う断面図である。
【図１６】この発明に係る海苔養殖資材用接手の変形例を示す説明図である。
【図１７】図１６のＡ７−Ａ７線に沿う断面図である。
【図１８】図１６の海苔養殖資材用接手を端面側から見た斜視図である。
【図１９】この発明に係る海苔養殖資材用接手の変形例を示す断面図である。
【図２０】図１９のＡ８−Ａ８線に沿う断面図である。
【図２１】この発明に係る海苔養殖資材用接手の変形例を示す断面図である。
【図２２】図２１の海苔養殖資材用接手を端面側から見た斜視図である。
【図２３】この発明に係る海苔養殖資材用接手の変形例を示す断面図である。
【図２４】図２３のＡ９−Ａ９線に沿う断面図である。
【図２５】従来の海苔養殖資材用伸子棒の一例を示す斜視図である。
【図２６】従来の海苔養殖資材用伸子棒の他の例を示す斜視図である。
【図２７】従来の海苔養殖資材用伸子棒の他の例を示す斜視図である。
【図２８】従来の海苔養殖資材用伸子棒を示す説明図である。
【図２９】図２８の海苔養殖資材用伸子棒の拡大断面図である。
【図３０】従来の支柱とロープを用いた海苔養殖法を示す説明図である。
【図３１】図３０の拡大説明図である。
【図３２】図２８のＡ１０−Ａ１０線に沿う断面図である。
【符号の説明】
【００３１】
２１・・・ロープ
２２・・・海苔養殖資材用伸子棒（中空管）
２３・・・フロート（海苔養殖資材）
２４・・・海苔網（海苔養殖資材）
２５・・・支持パイプ
２７・・・接手本体
２８・・・筒部
２９・・・挿通孔
３０・・・補強リブ
３２・・・切欠スリット
３６・・・補強リブ
３７・・・隔壁部
４２・・・補強リブ
４４・・・ＦＲＰパイプ
４５，４６・・・塩化ビニール樹脂層
【図１】
2008278831.tif 000003
【図２】
2008278831.tif 000004
【図３】
2008278831.tif 000005
【図４】
2008278831.tif 000006
【図５】
2008278831.tif 000007
【図６】
2008278831.tif 000008
【図７】
2008278831.tif 000009
【図８】
2008278831.tif 000010
【図９】
2008278831.tif 000011
【図１０】
2008278831.tif 000012
【図１１】
2008278831.tif 000013
【図１２】
2008278831.tif 000014
【図１３】
2008278831.tif 000015
【図１４】
2008278831.tif 000016
【図１５】
2008278831.tif 000017
【図１６】
2008278831.tif 000018
【図１７】
2008278831.tif 000019
【図１８】
2008278831.tif 000020
【図１９】
2008278831.tif 000021
【図２０】
2008278831.tif 000022
【図２１】
2008278831.tif 000023
【図２２】
2008278831.tif 000024
【図２３】
2008278831.tif 000025
【図２４】
2008278831.tif 000026
【図２５】
2008278831.tif 000027
【図２６】
2008278831.tif 000028
【図２７】
2008278831.tif 000029
【図２８】
2008278831.tif 000030
【図２９】
2008278831.tif 000031
【図３０】
2008278831.tif 000032
【図３１】
2008278831.tif 000033
【図３２】
2008278831.tif 000034